(57)【要約】【課題】機器からドレン管を介して排出されるドレン水を、浴槽パン等の排水口を介して排水管内に排出するための排水ユニットにおいて、当該排水口付近をできるだけ乾燥状態に維持して清潔に保ちながら、機器のドレン管からのドレン水の排出を良好に継続させることができる技術を提供する。【解決手段】排水口に取り付けられる筒状の本体筒部１１と、ドレン管と本体筒部１１とを接続して、ドレン管内から受け入れたドレン水Ｄを本体筒部１１内に導く管状の継手部１５と、本体筒部１１の下端側に設けられ、本体筒部１１内から排水管内への排水の流通を許容し、排水管内から本体筒部１１内への排水の逆流を阻止する逆止弁１９とを備え、本体筒部１１の上端側に、当該本体筒部１１内のドレン水Ｄをオーバーフローさせるオーバーフロー用開口部２２が形成されている。【選択図】図４
2008038384.tif 000002
【特許請求の範囲】
【請求項１】
機器のドレン管から排出されるドレン水を、排水口を介して排水管内に排出するための排水ユニットであって、
前記排水口に取り付けられる筒状の本体筒部と、
前記ドレン管と前記本体筒部とを接続して、前記ドレン管内から受け入れたドレン水を前記本体筒部内に導く管状の継手部と、
前記本体筒部の下端側に設けられ、前記本体筒部内から前記排水管内への排水の流通を許容し、前記排水管内から前記本体筒部内への排水の逆流を阻止する逆止弁とを備え、
前記本体筒部の上端側に、当該本体筒部内のドレン水をオーバーフローさせるオーバーフロー用開口部が形成されている排水ユニット。
【請求項２】
前記逆止弁が、前記本体筒部に固定される支持部と、前記支持部により片持支持されて前記本体筒部の下端側開口に対して当接及び離間自在な弁体部とで構成されている請求項１に記載の排水ユニット。
【請求項３】
前記オーバーフロー用開口部内の開口断面積が、前記継手部内の流路断面積よりも大きく設定されている請求項１又は２に記載の排水ユニット。
【請求項４】
前記継手部が、前記本体筒部側の接続部が当該本体筒部の上端側に対して垂直軸回りに回動自在に接続され、前記ドレン管側の接続部が当該ドレン管に対して水平方向に接続されるように構成されている請求項１〜３の何れか一項に記載の排水ユニット。
【請求項５】
前記本体筒部が、浴槽が設置される浴槽パンの排水口に取り付けられる請求項１〜４の何れか一項に記載の排水ユニット。
【請求項６】
前記継手部として、燃焼ガス中の水蒸気の凝縮潜熱をも回収して浴室への給湯を行う潜熱回収型給湯器のドレン管に接続される給湯器用継手部と、ミストノズルから浴室にミストを噴射するミスト装置のドレン管に接続されるミスト装置用継手部とを備えた請求項１〜５の何れか一項に記載の排水ユニット。
【発明の詳細な説明】
【技術分野】
【０００１】
本発明は、機器のドレン管から排出されるドレン水を、排水口を介して排水管内に排出するための排水ユニットに関する。
【背景技術】
【０００２】
浴室ユニットにおいて、浴槽が設置される浴槽パンの排水口に通じる浴槽排水管を洗い場側の排水トラップに接続するような排水構造では、浴槽の排水などのような大量の湯水が上記洗い場側の排水トラップに排出されたときに、その湯水が上記浴槽排水管を介して浴槽パンの排水口から溢れ出て、浴槽パンが不潔な状態になる場合がある。
そこで、浴槽パンをできるだけ乾燥状態に維持して清潔に保つための浴室ユニットにおける排水構造として、上記浴槽パンの排水口や浴槽排水管に逆止弁を設け、上記洗い場側の排水トラップから上記浴槽パンの排水口への排水の逆流を阻止するように構成されたものが知られている（例えば、特許文献１を参照。）。
【０００３】
例えば浴室に関連する機器であって、ドレン水の排出を行う必要がある機器としては、下記のような潜熱回収型給湯器（例えば、特許文献２を参照。）やミスト装置（例えば、特許文献３を参照。）が知られている。
【０００４】
即ち、上記潜熱回収型給湯器は、燃焼ガスの顕熱に加え同燃焼ガス中の水蒸気の凝縮潜熱をも回収して浴室等への給湯を行うように構成されており、当該水蒸気が凝縮して生成される凝縮水等がドレン水として排出される。
一方、上記ミスト装置は、ミストノズルから浴室に温水ミストを噴射して当該浴室をサウナ空間として利用するように構成されており、当該ミストノズルに通じる管内の残留水等がドレン水として排出される。
【０００５】
また、これら潜熱回収型給湯器やミスト装置等の機器は、ドレン水の排出を行うためのドレン管を、使用者の目に付かないように、浴室において浴槽が設置される浴槽パン側の排水口付近に端部が位置するように配設して、当該端部から流出したドレン水が、当該浴槽パンに受けられた後に、排水口に流入して排出されるように構成されている。
【０００６】
【特許文献１】特開２００３−２５３７２２号公報
【特許文献２】特開２００６−１３８５２７号公報
【特許文献３】特開２００５−１５２１９７号公報
【発明の開示】
【発明が解決しようとする課題】
【０００７】
上述したような潜熱回収型給湯器やミスト装置等の機器において、ドレン水の排出を行うためのドレン管の端部を、浴槽パン等の浴室の排水口付近に位置するように配置すると、そのドレン管の端部から流出したドレン水により、浴槽パンの特に排水口付近が濡れてしまって不潔な状態になり易くなる。そこで、ドレン管の端部から流出したドレン水が直接排水口に落とし込まれるように、当該端部を保持具用により上記排水口の上空に保持したとしても、当該流出したドレン水の一部が排水口の縁や目皿に衝突して周囲に飛散する、排水口付近が不潔な状態になり易くなる。
特に、上記ドレン水の排出を行う必要がある機器が複数ある場合には、上記排水口付近ができるだけ濡れないように当該複数の機器の夫々のドレン管の端部を適切に配置することは困難であり、それら複数のドレン管の端部から流出するドレン水により、排水口付近を一層広範囲に濡らしてしまい、一層不潔な状態になり易くなる。
【０００８】
また、機器のドレン管の端部から流出するドレン水により浴槽パン等の排水口付近を濡らしてしまうことを防止するために、上記ドレン管を直接浴槽排水管に接続することが考えられる。しかしながら、上述したように浴槽パンを清潔に保つための上記浴槽パンの排水口や浴槽排水管に設けられる逆止弁が閉状態となっているときには、上記ドレン管からのドレン水の排出が堰き止められることになり、機器側へドレン水が逆流する等の問題が生じる。
【０００９】
本発明は、上記の課題に鑑みてなされたものであり、その目的は、機器からドレン管を介して排出されるドレン水を、浴槽パン等の排水口を介して排水管内に排出するための排水ユニットにおいて、当該排水口付近をできるだけ乾燥状態に維持して清潔に保ちながら、機器のドレン管からのドレン水の排出を良好に継続させることができる技術を提供する点にある。
【課題を解決するための手段】
【００１０】
上記目的を達成するための本発明に係る排水ユニットは、機器のドレン管から排出されるドレン水を、排水口を介して排水管内に排出するための排水ユニットであって、その第１特徴構成は、前記排水口に取り付けられる筒状の本体筒部と、
前記ドレン管と前記本体筒部とを接続して、前記ドレン管内から受け入れたドレン水を前記本体筒部内に導く管状の継手部と、
前記本体筒部の下端側に設けられ、前記本体筒部内から前記排水管内への排水の流通を許容し、前記排水管内から前記本体筒部内への排水の逆流を阻止する逆止弁とを備え、
前記本体筒部の上端側に、当該本体筒部内のドレン水をオーバーフローさせるオーバーフロー用開口部が形成されている点にある。
【００１１】
上記第１特徴構成によれば、機器からドレン管を介して排出されるドレン水を、上記継手部を介して、浴室の浴槽パン等に設けられた排水口に取り付けられた上記本体筒部内に適切に導くことができるので、ドレン水が排水口付近に飛散することを防止し、当該排水口付近を清潔な状態に維持することができる。
そして、上記逆止弁が、上記本体筒部内から上記排水管内への排水の流通が許容するべく開状態となっているときに、上記本体筒部内に導かれたドレン水を開状態の逆止弁を介して適切に上記排水管内に排出することができる。
一方、上記逆止弁が、洗い場側の排水トラップ等に接続される上記排水管内から上記本体筒部内への逆流を阻止するべく閉状態となっているときには、上記本体筒部内に導かれたドレン水は、上記本体筒部内に滞留し、次に上記逆止弁が開状態となったときに排水管内に排出することができる。更に、上記逆止弁が閉状態となっているときに上記本体筒部内がドレン水で満杯になった場合でも、上記ドレン水を、上記オーバーフロー用開口部を介してオーバーフローさせることができ、機器のドレン管からのドレン水の排出を滞らせることなく良好に継続させることができる。
【００１２】
本発明に係る排水ユニットの第２特徴構成は、上記第１特徴構成に加えて、前記逆止弁が、前記本体筒部に固定される支持部と、前記支持部により片持支持されて前記本体筒部の下端側開口に対して当接及び離間自在な弁体部とで構成されている点にある。
【００１３】
上記第２特徴構成によれば、上記逆止弁としては、上記支持部と上記弁体部とで構成された比較的簡単且つ低廉な構成のものを採用することができる。
即ち、例えば浴槽の排水などのような大量の湯水が上記洗い場側の排水トラップに排出されたときに、上記排水管内の圧力が上記本体筒部内の圧力に対して上昇した場合には、上記逆止弁の弁体部が上記本体筒部の下端側開口に当接して当該下端側開口を閉鎖するので、上記排水管内から上記本体筒部内への排水の逆流を適切に阻止することができる。
逆に、例えば上記本体筒部内にドレン水が滞留しているときに、上記本体筒部内の圧力が上記排水管内の圧力に対して上昇した場合には、上記逆止弁の弁体部が上記本体筒部の下端側開口から離間して当該下端側開口を開放するので、上記本体筒部内に導かれたドレン水を適切に上記排水管内に排出することができる。
【００１４】
本発明に係る排水ユニットの第３特徴構成は、上記第１乃至上記第２の何れかの特徴構成に加えて、前記オーバーフロー用開口部内の開口断面積が、前記継手部内の流路断面積よりも大きく設定されている点にある。
【００１５】
上記第３特徴構成によれば、上記オーバーフロー用開口部を介してドレン水がオーバーフローする際の圧力損失を、上記継手部がドレン水を本体筒部内に導く際の圧力損失に対して適切に小さくすることができる。よって、上記逆止弁が閉状態となり上記本体筒部内がドレン水で満杯になっている場合でも、当該ドレン水を、上記オーバーフロー用開口部を介して良好にオーバーフローさせて、上記継手部に接続された上記ドレン管におけるドレン水の排出を滞らせることなく良好なものとすることができる。
【００１６】
本発明に係る排水ユニットの第４特徴構成は、上記第１乃至上記第３の何れかの特徴構成に加えて、前記継手部が、前記本体筒部側の接続部が当該本体筒部の上端側に対して垂直軸回りに回動自在に接続され、前記ドレン管側の接続部が当該ドレン管に対して水平方向に接続されるように構成されている点にある。
【００１７】
上記第４特徴構成によれば、上記継手部が、上記本体筒部の上端側から上方に延出した後に水平方向に屈曲する所謂Ｌ字状に形成され、更には、本体筒部の上端側に対する接続部が垂直軸回りに回動自在に構成されている。よって、上記ドレン管に対する接続部を、水平方向の任意の方向に向けることができ、例えば上記ドレン管の取り回し及び上記継手部への接続を簡単なものとすることができる。
【００１８】
本発明に係る排水ユニットの第５特徴構成は、上記第１乃至上記第４の何れかの特徴構成に加えて、前記本体筒部が、浴槽が設置される浴槽パンの排水口に取り付けられる点にある。
【００１９】
上記第５特徴構成によれば、上記本体筒部を浴槽が設置される浴槽パンの排水口に取り付けることで、上述したように当該浴槽パンの排水口付近をできるだけ乾燥状態に維持して清潔に保つことができ、更に、上記逆止弁が閉状態となっているときに上記本体筒部内がドレン水で満杯になり、上記ドレン水が上記オーバーフロー用開口部を介してオーバーフローした場合でも、そのオーバーフローしたドレン水を上記浴槽パンで受けて、別の排水口から排出したり、次に逆止弁が開状態となったときに当該排水ユニットが設けられた排水口から排出することができる。
【００２０】
本発明に係る排水ユニットの第６特徴構成は、上記第１乃至上記第５の何れかの特徴構成に加えて、前記継手部として、燃焼ガス中の水蒸気の凝縮潜熱をも回収して浴室への給湯を行う潜熱回収型給湯器のドレン管に接続される給湯器用継手部と、ミストノズルから浴室にミストを噴射するミスト装置のドレン管に接続されるミスト装置用継手部とを備えた点にある。
【００２１】
上記第６特徴構成によれば、上記継手部としては一つに限らず複数個設けることができる。
また、浴室に関連する機器としてドレン水の排出を行う必要がある機器としては、上記潜熱回収型給湯器と上記ミスト装置とがあるので、これら夫々の機器のドレン管を接続するための上記給湯器用継手部と上記ミスト装置用継手部とを設けることで、高い汎用性を実現することができる。
【発明を実施するための最良の形態】
【００２２】
本発明に係る排水ユニットの実施の形態について、図面に基づいて説明する。
図１に示すように、浴室１において、浴槽パン３上に浴槽２を設置し、浴槽パン３に受けられた排水と洗い場４からの排水とが、排水トラップ５を介して雑排水管６に排出される。
【００２３】
また、浴室１には、ドレン水Ｄの排出を行う必要がある機器として、給湯器３０やミスト装置４０が設けられており、これら機器の構成について以下に説明する。
【００２４】
上記給湯器３０は、公知の潜熱回収型給湯器の如く、燃焼ガスの顕熱に加え同燃焼ガス中の水蒸気の凝縮潜熱をも回収して浴室１等への給湯を行うように構成されている。そして、この種の給湯器３０では、当該水蒸気が凝縮して発生した凝縮水等がドレン水Ｄとしてドレン管３８を介して排出されることになる。
【００２５】
上記給湯器３０の構成について説明を加えると、バーナ３１でガスを燃焼させて生成された燃焼ガスが流通する燃焼ガス流路３２には、当該燃焼ガスの顕熱を回収するための一次熱交換器３３と、当該燃焼ガス中の水蒸気の潜熱を回収するための二次熱交換器３４とが、燃焼ガスの流れ方向において上流側から順に配置されている。そして、上記二次熱交換器３４及び上記一次熱交換器３３の順に給水が流通することで、当該給水が上記燃焼ガスの潜熱及び顕熱により加熱されて温水となり、当該温水が給湯管３５を介して浴槽２や後述するミスト装置４０やその他の給湯部へ供給される。
更に、この給湯器３０では、上記二次熱交換器３４において燃焼ガス中の水蒸気が凝縮して発生した凝縮水が、上記二次熱交換器３４の下方に配置された凝縮水受け３６に受けられ、適宜中和器３７で中和処理された後に、ドレン管３８を通じてドレン水Ｄとして排出される。
【００２６】
一方、上記ミスト装置４０は、公知のミスト装置の如く、給湯器３０により循環加熱される暖房水（図示省略）を熱源として浴室１の暖房等を行う暖房ユニット４１を有する所謂浴室暖房乾燥機として構成されており、更には、ミストノズル４２から浴室１に給湯器３０から供給された温水のミストを噴射して、当該浴室をサウナ空間として利用するように構成されている。そして、この種のミスト装置４０では、当該ミストノズル４２に通じる給湯管３５内の残留水等がドレン水Ｄとしてドレン管４３を介して排出される。
【００２７】
浴槽２を設置する浴槽パン３には、略円形の浴槽排水口７と、浴槽排水口７に流入した排水を受ける排水受け８とが設けられており、排水受け８が浴槽排水管９を介して排水トラップ５に接続されている。
即ち、浴槽排水口７から排水受け８に流入した排水は、上述した浴槽排水管９を通じて排水トラップ５及び雑排水管６側に排出される。
【００２８】
更に、この浴槽排水口７には、上述した上記給湯器３０や上記ミスト装置４０の夫々のドレン管３８，４３を通じて排出されたドレン水Ｄを、適切に浴槽排水口７を介して排水トラップ５及び雑排水管６側に排出するための排水ユニット１０が設けられており、この排水ユニット１０の詳細構成について以下に説明する。
【００２９】
図２〜５に示すように、上記排水ユニット１０は、浴槽排水口７に取り付けられる比較的高さが低い円筒状の本体筒部１１、及び、ドレン管３８，４３と本体筒部１１とを接続して、ドレン管３８，４３内から受け入れたドレン水Ｄを本体筒部１１内に導く管状の継手部１５、及び、本体筒部１１の下端側に設けられ、本体筒部１１内から浴槽排水管９内への排水の流通を許容し、浴槽排水管９内から本体筒部１１内への排水の逆流を阻止する逆止弁１９を備えており、更には、本体筒部１１の上端側に、当該本体筒部１１内のドレン水Ｄをオーバーフローさせるオーバーフロー用開口部２２が形成されている。
また、本実施例においては、継手部１５として、上述した潜熱回収型給湯器としての給湯器３０のドレン管３８に接続される給湯器用継手部１５Ａと、上述したミスト装置としてのミスト装置４０のドレン管４３に接続されるミスト装置用継手部１５Ｂとの複数の継手部１５が設けられている。
尚、上記ミスト装置４０のドレン管４３には、上記給湯器３０のドレン管３８よりも大量のドレン水Ｄが排出される場合があることから、上記ミスト装置用継手部１５Ｂ内の流路断面積は、上記給湯器用継手部１５Ａ内の流路断面積よりも若干大きめに設定されている。
【００３０】
そして、上記のように構成された排水ユニット１０を、上記本体筒部１１を円形の浴槽排水口７に内嵌させて取り付ける形態で設置し、更に、上述した上記給湯器３０や上記ミスト装置４０の夫々のドレン管３８，４３をその排水ユニット１０の給湯器用継手部１５Ａ及びミスト装置用継手部１５Ｂの夫々に接続する。よって、夫々のドレン管３８，４３を通じて排出されたドレン水Ｄは、浴槽排水口７付近に飛散することなく、上記継手部１５を介して、浴槽排水口７に取り付けられた上記本体筒部１１内に適切に導かれることになる。
【００３１】
即ち、上記逆止弁１９が、本体筒部１１内から浴槽排水管９内への排水の流通が許容するべく開状態となっているとき（図４（ａ）参照）には、上記本体筒部１１内に導かれたドレン水Ｄは、開状態の逆止弁１９を介して適切に上記浴槽排水管９側に排出されることになる。
一方、上記逆止弁１９が、浴槽排水管９内から本体筒部１１内への逆流を阻止するべく閉状態となっているとき（図４（ｂ）参照）には、上記本体筒部１１内に導かれたドレン水Ｄは、上記本体筒部１１内に滞留する。
そして、この本体筒部１１内に滞留するドレン水Ｄは、次に上記逆止弁１９が開状態となったときに浴槽排水管９内に排出されるのであるが、もし上記逆止弁１９が閉状態のままで上記本体筒部１１内がドレン水Ｄで満杯になった場合でも、そのドレン水Ｄは、上記オーバーフロー用開口部２２を介してオーバーフローするので、ドレン管３８，４３からのドレン水Ｄの排出は滞ることなく良好に継続される。
更に、このようにオーバーフロー用開口部２２を介して浴槽パン３にオーバーフローしたドレン水Ｄは、排水トラップ５等の別の排水口から排出されることになる。また、本体筒部１１の上端面が上記浴槽パン３の上面と同じ高さになるように、排水ユニット１０を浴槽パン３に多少埋め込む状態で設置すれば、次に逆止弁１９が開状態となったときに、浴槽パン３にオーバーフローしたドレン水Ｄを、本体筒部１１内に再度受け入れて、当該排水ユニット１０が設けられた浴槽排水口７から排出することもできる。
【００３２】
更に、上記逆止弁１９は、図４及び５を参照して、本体筒部１１の外側に設けられた固定部１４に固定される支持部２０と、支持部２０により片持支持されて本体筒部１１の下端側開口に対して当接及び離間自在な弁体部２１とで構成されている。
具体的に、逆止弁１９は、エラストマー等の弾性材料製の略円盤状部材を用い、一端側に本端筒部１１の外周付近に形成された開口に係止されて固定される上記支持部２０を形成すると共に、他端側を上下に揺動自在な上記弁体部２１とするように構成されている。
【００３３】
そして、図４（ｂ）に示すように、逆止弁１９の下方の排水受け８内の圧力（即ち浴槽排水管９内の圧力）が逆止弁１９の上方の本体筒部１１内の圧力に対して上昇した場合には、上記逆止弁１９の弁体部２１が本体筒部１１の下端側開口に当接されて当該下端側開口が閉鎖されるので、排水受け８内から本体筒部１１内への排水の逆流が適切に阻止される。
また、前述したが、このように逆止弁１９が閉状態のままで、上記本体筒部１１内がドレン水Ｄで満杯になった場合には、そのドレン水Ｄは、上記オーバーフロー用開口部２２を介してオーバーフローされることになる。
【００３４】
逆に、図４（ａ）に示すように、本体筒部１１内にドレン水Ｄが滞留しているときに、本体筒部１１内の圧力が排水受け８内の圧力（即ち浴槽排水管９内の圧力）に対して上昇した場合には、逆止弁１９の弁体部２１が本体筒部１１の下端側開口から離間されて当該下端側開口が開放するので、本体筒部１１内に導かれたドレン水Ｄが適切に排水受け８内を通じて浴槽排水管９内に排出される。
【００３５】
更に、逆止弁１９が閉状態となり本体筒部１１内がドレン水Ｄで満杯になっているときでも、上記ドレン管３８，４３におけるドレン水Ｄの排出が滞ることがないように、当該ドレン水Ｄがオーバーフロー用開口部２２を介して良好にオーバーフローするように、オーバーフロー用開口部２２内の開口断面積の合計は、継手部１５内の流路断面積（給湯器用継手部１５Ａの流路断面積とミスト装置用継手部１５Ｂの流路断面積との合計）よりも大きく設定されている。
【００３６】
図２及び図５に示すように、上記本体筒部１１は、外周部にフランジ部１３が放射状に突出形成され、その外周部の下端側に係止部１２が放射状に形成された、例えば樹脂製の成形体として構成されている。
よって、本体筒部１１は、浴槽排水口７に内挿されて、そのフランジ部１３の下面が浴槽パン３の上面に当接すると共に、下端側外周部に形成された係止部１２が浴槽排水口７の下端側縁部に係止されることで、垂直軸回りに回動自在な状態で浴槽排水口７に取り付けることができる。
よって、上記本体筒部１１を浴槽排水口７に取り付けるにあたって、複数の継手部１５が適切な位置になるように、当該本体筒部１１を垂直軸回りに回動させることができる。
【００３７】
一方、上記継手部１５は、本体筒部１１側の接続部１６が当該本体筒部１１の上端側に対して垂直軸回りに回動自在に接続され、ドレン管３８，４３側の接続部１８が当該ドレン管に対して水平方向に接続されるように構成されている。
具体的には、上記継手部１５は、上記本体筒部１１の上端側から上方に延出した後に水平方向に屈曲する所謂Ｌ字状に形成された、例えば樹脂製の成形体として構成されている。
更に、上記本体筒部１１側の接続部１６が、上記本端筒部１１の上端側に形成された開口に内挿され、その先端に形成された係止部１７を当該開口の下端側縁部に係止させて、上記本端筒部１１の上端側に、垂直軸回りに回動自在に接続される。
よって、上記継手部１５を垂直軸回りに回動させることで、上記ドレン管３８，４３に接続される接続部１８を、水平方向の任意の方向に向けることができ、上記ドレン管３８，４３の取り回し及びそれらの上記継手部１５への接続が簡単なものとなっている。
【００３８】
〔別実施形態〕
（１）上記実施の形態では、ドレン管３８，４３を通じてドレン水を排出する機器として、給湯器３０やミスト装置４０を例に挙げて説明したが、本発明は、これら機器を限定するものではなく、別の機器のドレン管から排出されるドレン水を、排水口を介して排水管内に排出するように構成することができる。
【００３９】
（２）上記実施の形態では、給湯器用継手部１５Ａとミスト装置用継手部１５Ｂとの２つの継手部１５を設けたが、継手部の数は必要に応じて増減可能である。
【００４０】
（３）上記実施の形態では、本体筒部１１の下端側に設けられた逆止弁１９を、本体筒部１１の外側に設けられた固定部１４に固定される支持部２０と、支持部２０により片持支持されて本体筒部１１の下端側開口に対して当接及び離間自在な弁体部２１とで構成したが、逆止弁をフロートにより本体筒部１１の下端側開口を閉鎖するように構成するなど、別の構成の逆止弁を採用しても構わない。
【００４１】
（４）上記実施の形態では、本体筒部１１を比較的高さが低い円筒状なものとしたが、その高さや断面形状等は適宜改変可能である。
また、上記本体筒部の高さを変更することで、逆止弁が閉状態であるときに本体筒部に滞留するドレン水の量を変更することができる。
【００４２】
（５）上記実施の形態では、オーバーフロー用開口部２２内の開口断面積を、継手部１５内の流路断面積よりも大きく設定したが、本体筒部内に滞留するドレン水が良好にオーバーフローし得る範囲内でオーバーフロー用開口部２２内の開口断面積を変更しても構わない。
【００４３】
（６）上記実施の形態では、継手部１５を、本体筒部１１側の接続部１６が本体筒部１１の上端側に対して垂直軸回りに回動自在に接続され、ドレン管３８，４３側の接続部１８がドレン管３８，４３に対して水平方向に接続されるように構成したが、この継手部の形状及び本体筒部やドレン管に対する接続形態等を適宜変更しても構わない。
【００４４】
（７）上記実施の形態では、本体筒部１１を浴槽２が設置される浴槽パン３の浴槽排水口７に取り付けるように構成したが、本体筒部１１を浴槽内外の別の排水口に取り付けるように構成しても構わない。
【産業上の利用可能性】
【００４５】
本発明に係る排水ユニットは、機器からドレン管を介して排出されるドレン水を、浴槽パン等の排水口を介して排水管内に排出するための排水ユニットであって、当該排水口付近をできるだけ乾燥状態に維持して清潔に保ちながら、機器のドレン管からのドレン水の排出を良好に継続させることができるものとして有効に利用可能である。
【図面の簡単な説明】
【００４６】
【図１】浴室におけるドレン水の排水状態及び排水ユニットの設置状態を示す図
【図２】排水ユニットを排水口に設置した状態を示す側断面図
【図３】排水ユニットの平面図
【図４】排水ユニットにおける逆止弁の開閉状態を示す立断面図
【図５】排水ユニットの分解斜視図
【符号の説明】
【００４７】
１：浴室
２：浴槽
３：浴槽パン
６，９：排水管
７：排水口
１０：排水ユニット
１１：本体筒部
１５：継手部
１５Ａ：給湯器用継手部
１５Ｂ：ミスト装置用継手部
１６，１８：接続部
１９：逆止弁
２０：支持部
２１：弁体部
２２：オーバーフロー用開口部
３０：給湯器
４０：ミスト装置
３８，４３：ドレン管
Ｄ：ドレン水
【図１】
2008038384.tif 000003
【図２】
2008038384.tif 000004
【図３】
2008038384.tif 000005
【図４】
2008038384.tif 000006
【図５】
2008038384.tif 000007